(57)【要約】【課題】  不正にカウント値をリセットすることができないメカニカルカウンタを用いて、制御基板やケーブルを交換する不正行為を容易に検出する遊技機の不正防止用カウンタ及び不正防止用カウンタ付き遊技機の提供を目的とする。【解決装置】  制御基板ケース７１は、制御基板１００等をほぼ完全に覆う構造としてあり、さらに、制御基板ケース７１と隣接して、二つのメカニカルカウンタ１ａを配設してある。このメカニカルカウンタ１ａは、制御基板ケース７１が取り付けられると、制御基板ケース７１がカウントレバー５２を押下する位置に取り付けられており、制御基板ケース７１が外され再び取り付けられると、取付け回数をカウントする。【選択図】  図６
2005118309.tif 000002
【特許請求の範囲】
【請求項１】
遊技機の着脱部に設けられる、遊技機の不正防止用カウンタであって、
前記着脱部の着脱動作により押されるカウントレバーと、
このカウントレバーが押された場合のみ、一又は二以上の数字輪が回転しカウントするカウント部と
を備えたことを特徴とする遊技機の不正防止用カウンタ。
【請求項２】
前記カウントレバー及びカウント部が、着脱自在に接続される一対のコネクタの第一のコネクタに設けられるとともに、この第一のコネクタに着脱される第二のコネクタにより前記カウントレバーが押されることを特徴とする請求項１記載の遊技機の不正防止用カウンタ。
【請求項３】
前記カウントレバー及びカウント部が、基板が着脱自在に保持される基板ホルダーに設けられるとともに、この基板ホルダーに基板が保持されることにより前記カウントレバーが押されることを特徴とする請求項１記載の遊技機の不正防止用カウンタ。
【請求項４】
前記カウント部が、最終カウント値に達すると、前記数字輪がそれ以上回転しないように係止する係止部を備えたことを特徴とする請求項１〜３のいずれかに記載の遊技機の不正防止用カウンタ。
【請求項５】
前記数字輪が数字，文字，記号及び／又はこれらのコードを有することを特徴とする請求項１〜４のいずれかに記載の遊技機の不正防止用カウンタ。
【請求項６】
前記数字輪の数字，文字，記号及び／又はこれらのコードをランダムな順序で配列したことを特徴とする請求項５記載の遊技機の不正防止用カウンタ。
【請求項７】
前記遊技機の不正防止用カウンタのコード化されたシリアル番号と、前記数字輪のコード化された数字，文字及び／又は記号とを並設したことを特徴とする請求項５又は６記載の遊技機の不正防止用カウンタ。
【請求項８】
上記請求項１〜７のいずれかに記載の遊技機の不正防止用カウンタを備えたことを特徴とする不正防止用カウンタ付き遊技機。
【請求項９】
前記遊技機をスロットマシンとしたことを特徴とする請求項８記載の不正防止用カウンタ付き遊技機。
【発明の詳細な説明】
【技術分野】
【０００１】
本発明は、遊技機の不正防止用カウンタ及び不正防止用カウンタ付き遊技機に関し、特に、スロットマシンやパチンコ機などの遊技機に内蔵された制御基板やケーブル等が不正に交換されていないことを容易に確認することのできる遊技機の不正防止用カウンタ及び不正防止用カウンタ付き遊技機に関する。
【背景技術】
【０００２】
パチンコ機やスロットマシンは、基板ケース内の制御基板に実装されたＲＯＭ等が不正に交換されることを防止するために、ＲＯＭや基板ケースの蓋等に封印用シールが貼られている。
ところが、封印用シールは、剥離剤を用いると痕跡を残すことなく貼り直せるため、基板ケースが取り外されてＲＯＭ等が不正に交換されるといった問題があった。
【０００３】
上記不正行為を防止する一手段として、複数のかしめ部を備えた遊技機用基板ケースが提案された。この遊技機用基板ケースは、不正行為を防止できるものの、開閉する際かしめ部を破損し新たなかしめ部をかしめる必要があることから、正規にＲＯＭ等を交換する場合、作業性が悪いといった欠点があった。
さらに、この遊技機用基板ケースは、ケースを不正に開けることが困難な構造となっていたため、基板ケースごと制御基板を交換するといった不正行為が行なわれることがあった。このような不正行為に対しては、交換した形跡を目視によって確認する方法が用いられるが、交換した形跡は見つけにくく、不正行為を発見することは通常困難であった。
このため、より確実に不正行為を防止でき、さらに、正当な理由によるＲＯＭ等の交換を容易に行なうことのできる不正防止手段が提案されている。
【０００４】
たとえば、特許文献１には、制御基板を被う樹脂製の基板ケースを遊技機に着脱自在に取り付ける着脱用手段と、基板ケースを離脱不可能なロック状態と離脱可能な解除状態とに切換可能な錠手段と、錠手段の開閉操作を検出する錠検出手段と、錠検出手段からの情報を出力する出力手段とを有する弾球遊技機の技術が開示されている。
この技術によれば、弾球遊技機は、着脱用手段を着状態に固定する錠手段の操作を検出して、錠手段の操作回数を出力可能となる。これによって、主基板に配設されているＲＯＭやＣＰＵが不正に交換されている可能性があることを把握することができ、セキュリティ性を高めることができる。
【０００５】
また、特許文献２には、開閉可能に設けられた蓋体と、閉状態にある蓋体をロックするとともに鍵体による解錠に応じてロックを解除するロック手段と、蓋体の開閉に関する状態を検知する検知手段と、検知手段による検知結果をもとに蓋体が開状態になった回数と蓋体が開きえる状態になった回数とのいずれか一方または両方を計数して表示するカウント手段と、少なくとも外部からの電源供給がない場合には検知手段およびカウント手段へ電源を供給する補助電源手段とを備えた、遊技機の遊技制御を行なうための制御基板を収容する遊技機用基板ケースの技術が開示されている。
この技術によれば、遊技機の制御基板を収容する遊技機用基板ケースが、ケース単体における不正開封と、遊技機に取り付けられた状態での制御基板に対する不正行為との双方をそれぞれ有効に防止でき、ケース開閉の事実を認識することができる。
【０００６】
【特許文献１】特開２０００−３２５６３２号公報（請求項１，３、図１）
【特許文献２】特開２００２−３４６０４４号公報（請求項１、図４）
【発明の開示】
【発明が解決しようとする課題】
【０００７】
しかしながら、特許文献１に開示された弾球遊技機や、特許文献２に開示された遊技機用基板ケースは、電気式カウンタを用いている。
この電気式カウンタは、制御論理式を解析することにより、短時間（たとえば、数秒）で表示される数字をリセットすることができるので、不正行為を防止することができないといった問題があった。
【０００８】
また、最近では、制御基板に接続されているケーブルに不正基板（不正部品）を仕込ませ、この不正基板によってメダルの不正入手や大当たりを発生させるといった不正行為も行なわれている。
このような不正行為に対しては、フラットケーブルの裏側に仕込まれた不正部品を目視検査で発見しなければならず、不正行為の検出は極めて困難であった。
【０００９】
本発明は、上記諸問題を解決すべく、不正にカウント値をリセットすることができないメカニカルカウンタを用いて、制御基板やケーブル等を交換する不正行為を容易に検出する遊技機の不正防止用カウンタ及び不正防止用カウンタ付き遊技機の提供を目的とする。
【課題を解決するための手段】
【００１０】
この目的を達成するために、本発明の遊技機の不正防止用カウンタは、遊技機の着脱部に設けられる、遊技機の不正防止用カウンタであって、前記着脱部の着脱動作により押されるカウントレバーと、このカウントレバーが押された場合のみ、一又は二以上の数字輪が回転しカウントするカウント部とを備えた構成としてある。
このようにすると、カウント部は、カウントレバーが押されるたびに、カウントアップ又はカウントダウンし続けるので、不正な着脱動作が行なわれると、あらかじめ記録してある正規のカウント値とは異なる新たなカウント値となる。そして、不正行為者は、遊技機の管理者等によって、新たなカウント値が正規のカウント値と異なることを見つけられ不正行為が発覚しないように、新たなカウント値を正規のカウント値にもどそうとする。しかし、たとえば十進法の４桁のカウンタでは、正規のカウント値にもどすには約一万回カウントレバーを押す必要がある。すなわち、短時間でカウント値をもどせないようにすることにより、不正にカウント値を変更するといった不正行為を実質的に不可能とし、遊技機に対する基板等の不正交換行為を効果的に抑制することができる。
【００１１】
また、本発明の遊技機の不正防止用カウンタは、前記カウントレバー及びカウント部が、着脱自在に接続される一対のコネクタの第一のコネクタに設けられるとともに、この第一のコネクタに着脱される第二のコネクタにより前記カウントレバーが押される構成としてある。
このようにすると、第二のコネクタが第一のコネクタから外され、再び第二のコネクタが接続されるとき、接続回数がカウントされる。すなわち、正規に接続されたカウント値を記録しておいて、この記録値とメカニカルカウンタのカウント値を比較することにより、不正基板（不正部品）を仕込ませたケーブルに交換するといった不正行為を容易に見つけることができる。
【００１２】
また、本発明の遊技機の不正防止用カウンタは、前記カウントレバー及びカウント部が、基板が着脱自在に保持される基板ホルダーに設けられるとともに、この基板ホルダーに基板が保持されることにより前記カウントレバーが押される構成としてある。
このようにすると、基板が取り外され、新たに基板が取り付けられるとき、取付け回数がカウントされる。すなわち、正規に取り付けられたカウント値を記録しておいて、この記録値とメカニカルカウンタのカウント値を比較することにより、基板を交換するといった不正行為を容易に見つけることができる。
【００１３】
また、本発明の遊技機の不正防止用カウンタは、前記カウント部が、最終カウント値に達すると、前記数字輪がそれ以上回転しないように係止する係止部を備えた構成としてある。
このようにすると、所定の最終カウント値（たとえば、十進法の２桁のカウンタでは「９９」）までカウントアップし続け、最終カウント値に到達するとカウント機能が停止し、カウントレバーを押す回数にかかわりなくリセットされることはないので、正規のカウント値にもどすといった不正行為を確実に防止することができる。
【００１４】
また、本発明の遊技機の不正防止用カウンタは、前記数字輪が数字，文字，記号及び／又はこれらのコードを有する構成としてある。
このようにすると、メカニカルカウンタの文字等の組合せが多くなり、文字等が同一のメカニカルカウンタを用意することが困難となり、不正行為をより確実に防止することができる。また、数字，文字及び／又は記号をコード化（たとえば、バーコード化）し、専用のコードリーダ（たとえば、バーコードリーダ）で読み込むことにより、確認作業を容易かつ短時間で行なうことができる。
【００１５】
また、本発明の遊技機の不正防止用カウンタは、前記数字輪の数字，文字，記号及び／又はこれらのコードをランダムな順序で配列した構成としてある。
このようにすると、各数字輪に配列された数字等は、メカニカルカウンタの製造メーカ，遊技機の製造メーカ及び遊技機が設置された遊技場の管理者（コードリーダ内の記憶部）だけが知りえることとなる。そして、定期的にメカニカルカウンタをカウントさせ、カウントされた数字等があらかじめ設定された配列と一致することを確認することによって、メカニカルカウンタが正規のものであり、かつ、正常に機能していたことを検証することができる。
【００１６】
また、本発明の遊技機の不正防止用カウンタは、前記遊技機の不正防止用カウンタのコード化されたシリアル番号と、前記数字輪のコード化された数字，文字及び／又は記号とを並設した構成としてある。
このように、シリアル番号を付与することにより、メカニカルカウンタ自体が交換された場合であっても、この不正行為を確実に発見することができる。また、専用のコードリーダを用いて、一回の読み込みでシリアル番号とカウント値を読み込むことができ、確認作業を容易かつ短時間で行なうことができる。
【００１７】
また、本発明の不正防止用カウンタ付き遊技機は、上記請求項１〜７のいずれかに記載の遊技機の不正防止用カウンタを備えた構成としてある。
このようにすると、遊技機は、ケーブルや制御基板を交換して、遊技者に有利に遊技を行なうといった不正行為を抑制することができる。すなわち、制御基板等を不正に交換しても、メカニカルカウンタの表示がカウントアップされ、不正交換が行なわれたことを明確に表示するので、遊技機の管理者は、容易に発見することができる。
【００１８】
また、本発明の不正防止用カウンタ付き遊技機は、前記遊技機をスロットマシンとした構成としてある。
このようにすると、スロットマシンに対する不正行為を効果的に防止することができる。
【発明の効果】
【００１９】
本発明における遊技機の不正防止用カウンタ及び不正防止用カウンタ付き遊技機によれば、不正にカウント値をリセットすることができないメカニカルカウンタを用いることにより、遊技機の制御基板やケーブル等を交換するといった不正行為を容易に検出することができる。
【発明を実施するための最良の形態】
【００２０】
［遊技機の不正防止用カウンタの第一実施形態］
図１は、本発明にかかる不正防止用カウンタの第一実施形態の概略図であり、（ａ）は正面図を、（ｂ）はＡ−Ａ断面図を示している。
また、図２は、第一実施形態にかかる不正防止用カウンタの概略図であり、（ａ）は図１のＢ−Ｂ断面図を、（ｂ）はＣ−Ｃ断面図を、（ｃ）はＤ−Ｄ断面図を示している。
図１，２において、遊技機の不正防止用カウンタ（適宜、メカニカルカウンタ１と略称する。）は、カウント部としての第１桁目数字輪１０，第２桁目数字輪２０，第３桁目数字輪３０，軸４０及び送り部材５０と、送り部材５０に突設されたカウントレバー５２とからなっている。
各数字輪１０，２０，３０は、軸４０が貫通しており、また、「０」から「９」までの数字が表示してある。なお、本実施形態のメカニカルカウンタ１は、十進カウンタとしてあるが、この構成に限定されるものではない。
【００２１】
第１桁目数字輪１０は、右側面に駆動輪１２が連結され、左側面に送り歯車１３が連結してある。
この駆動輪１２は、周方向に１０本の斜め歯１２１が突設してあり、送り部材５０が下方に移動すると、一本の斜め歯１２１に応じた角度（３６度）だけ反時計廻り方向に回転し、第１桁目の数字をカウントアップする。なお、図１は、理解しやすいように、駆動輪１２を回転させる直前の状態を示している。
また、送り歯車１３は、第１桁目数字輪１０の表示「９」と「０」の間に対応するように、周方向の１／１０（３６度）だけに形成された平歯車１３１を備えており、第１桁目数字輪１０の表示が「９」から「０」に移動するとき、遊び車１４と噛み合って遊び車１４を回転させる。
【００２２】
送り部材５０は、円柱５１にカウントレバー５２，押下部５３，下部ガイドピン５４及び上部ガイドピン５５が突設され、さらに、ばね５６によって上方に付勢してある。
下部ガイドピン５４は、垂直方向に形成されたガイド溝５７を上下方向に往復移動し、上部ガイドピン５５は、三角形状に形成されたガイド溝５８を時計廻り方向に移動する。すなわち、押下部５３は、カウントレバー５２が押下されると、駆動輪１２の方向に付勢するばね（図示せず）によって駆動輪１２の方向に移動し、斜め歯１２１と当接し、さらにカウントレバー５２が押下されると下方に移動し、斜め歯１２１を一本の斜め歯１２１分（３６度）だけ回転させ、第１桁目の数字をカウントアップする。
また、押下部５３は、カウントレバー５２の押下が解除されると、カウントレバー５２の方向に付勢するばね（図示せず）によって、外方向の斜め上方に移動し、すなわち、上方の斜め歯１２１と当接しないように上昇する。
【００２３】
第２桁目数字輪２０は、右側面に駆動歯車２１が連結され、左側面に送り歯車２３が連結してある。
この駆動歯車２１は、全周に平歯車が形成してあり、遊び車１４と噛み合っている。なお、図２（ａ）において、理解しやすいように、駆動歯車２１を省略してある。
第１桁目数字輪１０の表示が「９」から「０」に移動するとき、送り歯車１３の平歯車１３１が３６度だけ回転し、遊び車１４を３６度だけ回転させる。そして、遊び車１４と噛み合っている駆動歯車２１も３６度だけ回転し、第２桁目の数字をカウントアップする。
また、送り歯車２３は、第２桁目数字輪２０の表示「９」と「０」の間に対応するように、周方向の１／１０（３６度）だけに形成された平歯車２３１を備えており、第２桁目数字輪２０の表示が「９」から「０」に移動するとき、遊び車２４と噛み合って遊び車２４を回転させる。
【００２４】
第３桁目数字輪３０は、右側面に駆動歯車３１が連結され、左側面に係止部３３が連結してある。
この駆動歯車３１は、全周に平歯車が形成してあり、遊び車２４と噛み合っている。なお、図２（ｂ）において、理解しやすいように、駆動歯車３１を省略してある。
第２桁目数字輪２０の表示が「９」から「０」に移動するとき、送り歯車２３の平歯車２３１が３６度だけ回転し、遊び車２４を３６度だけ回転させる。そして、遊び車２４と噛み合っている駆動歯車３１も３６度だけ回転し、第３桁目の数字をカウントアップする。
また、係止部３３は、第３桁目数字輪３０の表示が「９」になると、ケーシングに突設された凸部３４と当接し、第３桁目数字輪３０の表示が「９」から「０」に移動しないように係止する。
【００２５】
また、各数字輪１０，２０，３０の上方には、透明なカバー６０が設けられており、各数字輪１０，２０，３０を外部から強制的に回転させることはできない構成としてある。
なお、矩形箱状のケーシング６１は、線分Ｅ−Ｅ（図１（ａ）参照）で二分割されていたものに、各数字輪１０，２０，３０等を収納した後に接合され、さらに、フランジ６２と接合された構成としてある。
【００２６】
次に、上記構成のメカニカルカウンタ１の動作について説明する。
送り部材５０は、カウントレバー５２が押下されていないとき、ばね５６によって上方に付勢してある。すなわち、上部ガイドピン５５が、ガイド溝５８の上点に位置する。
次に、押下部５３は、カウントレバー５２が押下されると、駆動輪１２の方向に移動し、斜め歯１２１と当接し、さらにカウントレバー５２が押下されると下方に移動し、斜め歯１２１を一本の斜め歯１２１の角度（３６度）だけ回転させ、第１桁目の数字をカウントアップする。すなわち、上部ガイドピン５５が、ガイド溝５８の上点から、ガイド溝５８１，５８２を移動する。
また、押下部５３は、カウントレバー５２の押下が解除されると、上部ガイドピン５５が、ガイド溝５８３を移動し、外方向の斜め上方に移動し、上方の斜め歯１２１と当接しないように上昇する。
【００２７】
このように本実施形態のメカニカルカウンタ１は、カウントレバー５２が押下された場合のみ、数字輪１０，２０，３０が回転しカウントアップする。また、最終カウント値に達すると、数字輪１０，２０，３０がそれ以上回転しないように係止する係止部３４を備えている。すなわち、メカニカルカウンタ１は、カウントレバー５２が押下されると、最終カウント値に達するまでカウントアップし続け、リセットされることはない。したがって、正規のカウントアップ値を記録しておいて、この記録値とメカニカルカウンタのカウントアップ値を比較することにより、不正にカウントレバー５２が押下されたことを知ることができ、かかる不正行為を防止することができる。
【００２８】
なお、メカニカルカウンタ１のカウントアップする機構は一例であり、機械的に数字輪１０，２０，３０を回転させる機構であれば、上記機構に限定されるものではない。
また、本実施形態では、カウントレバー５２が押下されると、カウントアップを行なう機構としてあるが、この機構に限定されるものではなく、たとえば、カウントレバー５２を水平方向に押したり、引っ張ったりすることによってカウントアップする機構としてもよい。
さらに、本実施形態では、制御基板，コネクタ，制御基板ケース，ＲＯＭ等の着脱部（図示せず）が取り付けられる動作により、カウントアップを行なう機構としてあるが、この機構に限定されるものではなく、たとえば、着脱部が取り外される動作により、カウントアップを行なう機構としてもよい。
【００２９】
［遊技機の不正防止用カウンタの第二実施形態］
図３は、本発明にかかる不正防止用カウンタの第二実施形態の概略正面図を示している。
同図において、メカニカルカウンタ１ａは、バーコードによるシリアル番号７０が付与され、さらに、このシリアル番号７０と並ぶように、第１桁目数字輪１０ａ，第２桁目数字輪２０ａ及び第３桁目数字輪３０ａのバーコードによる数字が表示されている。
なお、本実施形態では、シリアル番号７０や各数字輪１０ａ，２０ａ，３０ａの数字をバーコードによりコード化してあるが、バーコードに限定されるものではなく、他のコード方法を用いることができる。
【００３０】
シリアル番号７０は、たとえば、６桁の英数字「ＡＢＣＤ０１」と一桁の数字「１」からなっており、６桁の英数字「ＡＢＣＤ０１」は遊技機の番号を示し、一桁の数字「１」は遊技機内の使用位置を示している。すなわち、このシリアル番号７０は、「ＡＢＣＤ０１１」であり、また、この遊技機の異なる箇所に使用されるメカニカルカウンタ１ａのシリアル番号７０は、「ＡＢＣＤ０１２」となる。
また、このシリアル番号７０は、印刷されたラベルがカバー６０ａの内側に貼り付けられているので、メカニカルカウンタ１ａを破損させずに交換することはできない。
なお、その他の構成は、上記メカニカルカウンタ１とほぼ同様としてある。
【００３１】
また、上記メカニカルカウンタ１ａは、バーコードリーダ（図示せず）でシリアル番号７０とカウント値が読み込まれるので、一回の読み込み操作で容易かつ確実に読み込むことができる。さらに、このバーコードリーダに、シリアル番号７０と現行のカウント値を記憶する記憶部と、読み込んだデータが記憶部のデータと一致するか否かを判断する情報処理部等からなる情報処理装置を内蔵させるとよく、このようにすると、不正行為によりカウント値がアップしたことを、確実にかつ効率よく検査することができる。また、現行のカウント値を台帳などに記録し管理しなくてもすむので、作業効率を改善することができる。
【００３２】
ここで、好ましくは、使用するコードとして、遊技機業界用として独自のコードを使用するとよく、このようにすると、市販されているコードリーダや、コードラベルのプリンタでは、偽造ラベルを製造することすら困難となるので、不正防止の信頼性を大幅に向上させることができる。
【００３３】
さらに、シリアル番号に応じて、第１桁目数字輪１０ａ，第２桁目数字輪２０ａ及び第３桁目数字輪３０ａにランダムに数字，文字及び／又は記号をバーコードにより表示する構成とするとよい。このようにすると、各数字輪１０ａ，２０ａ，３０ａに配設された数字等の配列は、メカニカルカウンタ１ａの製造メーカ，遊技機の製造メーカ及び遊技機が設置された遊技場の管理者（バーコードリーダ内の記憶部）だけが知りえることとなる。そして、定期的にメカニカルカウンタ１ａをカウントアップさせ、カウントアップされた数字等があらかじめ設定された配列と一致することを確認することによって、メカニカルカウンタ１ａが正規のものであり、かつ、正常に機能していたことを検証することができる。
【００３４】
このように、上記メカニカルカウンタ１ａによれば、ＲＯＭ等とともにメカニカルカウンタ１ａが不正に交換されるといった不具合を防止することができる。また、バーコードリーダを用いることにより、簡単かつ確実にカウント値等を確認することができる。
さらに、専用のコードを使用し、各数字輪１０ａ，２０ａ，３０ａに配設された数字等の配列を、メカニカルカウンタ１ａの製造メーカ，遊技機の製造メーカ及び遊技機が設置された遊技場の管理者だけが知りえる極秘情報とすることで、より確実に不正行為を防止することができる。
【００３５】
［遊技機の不正防止用カウンタの第三実施形態］
図４は、本発明にかかる不正防止用カウンタの第三実施形態の概略図であり、（ａ）は正面図を、（ｂ）は側面図を示している。
同図において、遊技機の不正防止用カウンタ（適宜、コネクタ８と略称する。）は、着脱自在に接続される一対のコネクタ８０，８１からなり、具体的には、上記メカニカルカウンタ１とほぼ同様の構成のメカニカルカウンタ１ｂを有する第一のコネクタ８０と、メカニカルカウンタ１ｂのカウントレバー５２を押下する突起部８４を有する第二のコネクタ８１とからなっている。
【００３６】
第一のコネクタ８０は、リード線８２を介して制御基板１００に半田付けされており、メカニカルカウンタ１ｂは、固定用のリード線８３を介して制御基板１００に半田付けされている。
また、メカニカルカウンタ１ｂは、水平方向にカウントレバー５２が突設してある。
なお、第一のコネクタ８０は、一般的に、メカニカルカウンタ１ｂと一体成形されるが、この構成に限定されるものではなく、たとえば、図示してないが、第一のコネクタ８０と連結するように、メカニカルカウンタ１ｂを制御基板１００に実装してもよい。
【００３７】
第二のコネクタ８１は、フラットケーブル１０１が接続されており、また、コネクタ８１がコネクタ８０に接続された際、メカニカルカウンタ１ｂのカウンタレバー５２を押下する突起部８４が水平方向に突設してある。
ここで、好ましくは、上方から見てカウンタレバー５２の周囲を覆うように、突起部８４にカバー８４１を設けるとよい。このようにすると、たとえば、突起部８４とメカニカルカウンタ１ｂとの間に薄い金属片等を挿入して、カウンタレバー５２を上昇させることなく、コネクタ８１をコネクタ８０から取り外すといった不正行為を効果的に防止することができる。
【００３８】
上記コネクタ８によれば、第二のコネクタ８１が外され、再び第二のコネクタ８１が接続されるとき、メカニカルカウンタ１ｂがカウントアップされる。
すなわち、遊技場の管理者が正常なカウント値（たとえば、「０１２２」）を記録しておき、その記録されたカウント値とメカニカルカウンタ１ｂのカウント値（たとえば、「０１２３」）を比較し、メカニカルカウンタ１ｂのカウント値が大きいときは、不正基板（不正部品）を仕込ませたケーブルに交換されたと判断することができる。また、メカニカルカウンタ１ｂのカウント値が記憶されたカウント値と同じときは、コネクタ８１が外されておらず、不正行為が行なわれていないと判断することができる。
【００３９】
［遊技機の不正防止用カウンタの第四実施形態］
図５は、本発明にかかる不正防止用カウンタの第四実施形態の概略図であり、（ａ）は正面図を、（ｂ）は側面図を示している。
同図において、遊技機の不正防止用カウンタ（適宜、基板ホルダー９と略称する。）は、矩形板状の制御基板１００の対向する端部を保持する第一の基板ホルダー９０と第二の基板ホルダー９１とからなっている。なお、本実施形態では、二つの基板ホルダー９０，９１を使用しているが、この構成に限定されるものではなく、たとえば、一つの矩形環状の基板ホルダーを（図示せず）使用することも可能である。
【００４０】
基板ホルダー９０，９１は、制御基板１００を載置する載置面９２と、制御基板１００を位置決めする段付き部９３を備えており、載置された制御基板１００は、ねじ９４によって基板ホルダー９０，９１に固定される。また、基板ホルダー９０，９１は、木製の基材２００に木ねじ２０１で固定される。
第一の基板ホルダー９０は、メカニカルカウンタ１ｂを内蔵しており、制御基板１００が載置されると、メカニカルカウンタ１ｂのカウントレバー５２を制御基板１００が押下する構成としてある。
【００４１】
上記基板ホルダー９によれば、制御基板１００が外され、再び制御基板１００が取り付けられると、メカニカルカウンタ１ｂがカウントアップされるので、不正基板を交換するといった不正行為を容易に見つけることができる。
【００４２】
［不正防止用カウンタ付き遊技機］
図６は、本発明にかかる不正防止用カウンタ付き遊技機の制御基板ケースの取付け状態を説明する概略正面図を示している。
同図において、不正防止用カウンタ付き遊技機（適宜、スロットマシン７と略称する。）は、マシン内部に設けたれた機材２００に基板ホルダー９０ａ，９１が取り付けられており、この基板ホルダー９０ａ，９１に制御基板１００が装着され、さらに、この制御基板１００を覆うように、制御基板ケース７１が取り付けられている。
なお、制御基板１００には、コネクタ８０ａが実装され、このコネクタ８０ａにコネクタ８１が接続されている。
【００４３】
制御基板ケース７１は、底板のないほぼ箱状の形状としてあり、四隅にフランジ部７２が突設してある。そして、この制御基板ケース７１は、フランジ部７２が木ねじ２０１によって基材２００に固定される。
また、制御基板ケース７１は、制御基板１００等をほぼ完全に覆う構造としてあり、制御基板１００や制御基板１００に実装されたコネクタ８１，ＲＯＭ１０２等を外部から交換できないように保護している。
【００４４】
また、基材２００には、制御基板ケース７１と隣接して、二つのメカニカルカウンタ１ａを配設してある。このメカニカルカウンタ１ａは、制御基板ケース７１が取り付けられると、制御基板ケース７１がカウントレバー５２を押下する位置に取り付けられている。
また、制御基板ケース７１は、透明な樹脂からなっており、コネクタ８０ａのシリアル番号やカウント値，及び，基板ホルダー９０ａのシリアル番号やカウント値をバーコードリーダで読み込むことができる。
【００４５】
コネクタ８０ａは、メカニカルカウンタ１ａを有する構成としてあり、その他の構成は、上記コネクタ８０とほぼ同様としてある。
また、基板ホルダー９０ａは、メカニカルカウンタ１ａを有する構成としてあり、その他の構成は、上記基板ホルダー９０ａとほぼ同様としてある。
【００４６】
上述したスロットマシン７は、制御基板１００が制御基板ケース７１で覆われているので、制御基板１００に実装されたＲＯＭ１０２やケーブル１０１が接続されたコネクタ８１を交換するには、まず、制御基板ケース７１を取り外す必要がある。
ただし、不正に制御基板ケース７１を取り外し再び取り付けても、メカニカルカウンタ１ａがカウントアップするので、バーコードリーダで読み込むと、バーコードリーダが異常表示を行ない不正行為が行なわれたことを容易に知ることができる。
【００４７】
また、露出した制御基板１００は、ケーブル１０１の接続されたコネクタ８１を交換することが可能となるが、コネクタ８１を取り外し新たにコネクタ８１を接続すると、コネクタ８０ａのカウント値がアップするので、コネクタ８１が交換されたことを容易に知ることができる。また、制御基板１００を交換しても、基板ホルダー９０ａのカウント値がアップするので、不正な交換を検出することができる。すなわち、制御基板１００等を二重に防御することができるので、信頼性を向上させることができる。
さらに、図示してないが、ＲＯＭ１０２が装着されるＲＯＭソケットにメカニカルカウンタ１ａを設けた構成としてもよく、このようにすると、ＲＯＭ１０２を交換しても、メカニカルカウンタ１ａのカウント値がアップするので、不正な交換を検出することができる。
なお、本発明は、スロットマシンに限定されるものではなく、たとえば、パチンコ遊技機等の遊技機であってもよい。
【産業上の利用可能性】
【００４８】
本発明の遊技機の不正防止用カウンタ及び不正防止用カウンタ付き遊技機は、スロットマシンに関連して説明してあるが、スロットマシンやパチンコ機等の遊技機に限らず、不正行為を受けることなく確実に、接続回数等をカウントすることが必要とされる部品，機器，装置等に本発明を適用することが可能である。
【図面の簡単な説明】
【００４９】
【図１】本発明にかかる不正防止用カウンタの第一実施形態の概略図であり、（ａ）は正面図を、（ｂ）はＡ−Ａ断面図を示している。
【図２】第一実施形態にかかる不正防止用カウンタの概略図であり、（ａ）は図１のＢ−Ｂ断面図を、（ｂ）はＣ−Ｃ断面図を、（ｃ）はＤ−Ｄ断面図を示している。
【図３】本発明にかかる不正防止用カウンタの第二実施形態の概略正面図を示している。
【図４】本発明にかかる不正防止用カウンタの第三実施形態の概略図であり、（ａ）は正面図を、（ｂ）は側面図を示している。
【図５】本発明にかかる不正防止用カウンタの第四実施形態の概略図であり、（ａ）は正面図を、（ｂ）は側面図を示している。
【図６】本発明にかかる不正防止用カウンタ付き遊技機の制御基板ケースの取付け状態を説明する概略正面図を示している。
【符号の説明】
【００５０】
１，１ａ，１ｂ  メカニカルカウンタ
７  スロットマシン
８  コネクタ
９  基板ホルダー
１０，１０ａ  第１桁目数字輪
１２  駆動輪
１３  送り歯車
１４  遊び車
２０，２０ａ  第２桁目数字輪
２１  駆動歯車
２３  送り歯車
２４  遊び車
３０，３０ａ  第３桁目数字輪
３１  駆動歯車
３３  係止部
３４  凸部
４０  軸
５０  送り部材
５１  円柱
５２  カウントレバー
５３  押下部
５４  下部ガイドピン
５５  上部ガイドピン
５６  ばね
５７  ガイド溝
５８，５８１，５８２，５８３  ガイド溝
６０，６０ａ  カバー
６１  ケーシング
６２  フランジ
７０  シリアル番号
７１  制御基板ケース
７２  フランジ部
８０，８０ａ  第一のコネクタ
８１  第二のコネクタ
８２，８３  リード線
８４  突起部
９０，９０ａ  第一の基板ホルダー
９１  第二の基板ホルダー
９２  載置面
９３  段付き部
９４  ねじ
１００  制御基板
１０１  フラットケーブル
１０２  ＲＯＭ
１２１  斜め歯
１３１  平歯車
２３１  平歯車
２００  基材
２０１  木ねじ
８４１  カバー
【図１】
2005118309.tif 000003
【図２】
2005118309.tif 000004
【図３】
2005118309.tif 000005
【図４】
2005118309.tif 000006
【図５】
2005118309.tif 000007
【図６】
2005118309.tif 000008